【事件の表示】
　特許第３２６１８５３号「反射型液晶表示装置」の請求項１ないし４に係る特許に対する特許異議の申立てについて、次のとおり決定する。
【結　論】
　訂正を認める。
　特許第３２６１８５３号の請求項１ないし４に係る特許を維持する。
【理　由】
１．手続の経緯
　特許第３２６１８５３号の請求項１ないし請求項６に係る発明についての出願は、平成６年３月２９日に出願したものであって、平成１３年１２月２１日にその特許の設定の登録がなされ、その後、斉藤忠により、請求項１ないし請求項４に係る特許に対して、特許異議の申立てがなされ、取消理由通知がなされ、その指定期間内の平成１５年３月３日付けで訂正請求がなされたものである。
　
２．訂正の適否について
２−１．訂正の内容
　ａ．特許請求の範囲の減縮を目的として、特許請求の範囲の請求項１「絵素毎に電圧の印加を行える透明電極が透明基板上に配設された観察者側電極板と、この観察者側電極板に対向して配置されかつ絵素毎に電圧の印加を行える電極が配設された光反射性背面電極板と、これ等両電極板間に封入された液晶物質と、上記観察者側電極板の外側表面に配置され外部から入射する外光を直線偏光に変える偏光フィルムとを備え、外光を上記背面電極板で反射させると共に両電極間に電圧を選択的に印加し液晶物質の配向状態を絵素毎に変化させて上記直線偏光の透過・不透過を制御し画面表示する反射型液晶表示装置において、
　上記観察者側電極板における透明基板の絵素間部に対応する部位にこの部位を透過する透過光を散乱させる光散乱層を設けると共に、両電極間に電圧が印加されないときに光反射性背面電極板からの反射光の透過を防止するノーマリーブラック型表示方式で構成されていることを特徴とする反射型液晶表示装置。」を、
「絵素毎に電圧の印加を行える透明電極が透明基板上に配設された観察者側電極板と、この観察者側電極板に対向して配置されかつ絵素毎に電圧の印加を行える電極が配設された光反射性背面電極板と、これ等両電極板間に封入された液晶物質と、上記観察者側電極板の外側表面に配置され外部から入射する外光を直線偏光に変える偏光フィルムとを備え、外光を上記背面電極板で反射させると共に両電極間に電圧を選択的に印加し液晶物質の配向状態を絵素毎に変化させて上記直線偏光の透過・不透過を制御し画面表示する反射型液晶表示装置において、
　上記観察者側電極板における透明基板の液晶側の絵素部に対応する部位にこの部位を透過する透過光を着色させるカラーフィルターと、該カラーフィルタの間の絵素間部に対応する部位にこの部位を透過する透過光を散乱させる光散乱層とを設けると共に、両電極間に電圧が印加されないときに光反射性背面電極板からの反射光の透過を防止するノーマリーブラック型表示方式で構成されていることを特徴とする反射型液晶表示装置。」と訂正する。
　ｂ．これに伴い、特許請求の範囲の記載と発明の詳細な説明の記載との整合をとるため、【００１１】の「【課題を解決するための手段】　すなわち、請求項１に係る発明は、絵素毎に電圧の印加を行える透明電極が透明基板上に配設された観察者側電極板と、この観察者側電極板に対向して配置されかつ絵素毎に電圧の印加を行える電極が配設された光反射性背面電極板と、これ等両電極板間に封入された液晶物質と、上記観察者側電極板の外側表面に配置され外部から入射する外光を直線偏光に変える偏光フィルムとを備え、外光を上記背面電極板で反射させると共に両電極間に電圧を選択的に印加し液晶物質の配向状態を絵素毎に変化させて上記直線偏光の透過・不透過を制御し画面表示する反射型液晶表示装置を前提とし、上記観察者側電極板における透明基板の絵素間部に対応する部位にこの部位を透過する透過光を散乱させる光散乱層を設けると共に、両電極間に電圧が印加されないときに光反射性背面電極板からの反射光の透過を防止するノーマリーブラック型表示方式で構成されていることを特徴とするものである。」を明りょうでない記載の釈明を目的として、
「【課題を解決するための手段】　すなわち、請求項１に係る発明は、絵素毎に電圧の印加を行える透明電極が透明基板上に配設された観察者側電極板と、この観察者側電極板に対向して配置されかつ絵素毎に電圧の印加を行える電極が配設された光反射性背面電極板と、これ等両電極板間に封入された液晶物質と、上記観察者側電極板の外側表面に配置され外部から入射する外光を直線偏光に変える偏光フィルムとを備え、外光を上記背面電極板で反射させると共に両電極間に電圧を選択的に印加し液晶物質の配向状態を絵素毎に変化させて上記直線偏光の透過・不透過を制御し画面表示する反射型液晶表示装置を前提とし、上記観察者側電極板における透明基板の液晶側の絵素部に対応する部位にこの部位を透過する透過光を着色させるカラーフィルターと、該カラーフィルタの間の絵素間部に対応する部位にこの部位を透過する透過光を散乱させる光散乱層とを設けると共に、両電極間に電圧が印加されないときに光反射性背面電極板からの反射光の透過を防止するノーマリーブラック型表示方式で構成されていることを特徴とするものである。」と訂正する。
　ｃ．誤記の訂正を目的として、【０００９】第４行の「Ｔｈｉｎ　Ｆｉｌｍ　Ｔｒａｎｓｉｓｔｅｒ」を「Ｔｈｉｎ　Ｆｉｌｍ　Ｔｒａｎｓｉｓｔｏｒ」と訂正する。
　ｄ．誤記の訂正を目的として、【００３２】第１行〜第２行の「このようなカラーフィルター層としては、透明樹脂バインダーとこの透明樹脂バインダー中に混合された着色剤とから構成されるものが利用できる。」を削除する。
　　
２−２．訂正の目的の適否、新規事項の有無及び拡張・変更の存否
　訂正事項aは、特許明細書の【００３０】、【００４４】、【００６０】および図１，図３の記載に基づいて、請求項１における観察者側電極板における透明基板及び散乱層を「透明基板の液晶側の絵素部に対応する部位にこの部位を透過する透過光を着色させるカラーフィルターと、該カラーフィルタの間の絵素間部に対応する部位にこの部位を透過する透過光を散乱させる光散乱層とを設ける」と具体的に限定するものであるから、特許請求の範囲の減縮に該当し、新規事項に該当せず、実質上特許請求の範囲を拡張し又は変更するものではない。
　訂正事項ｂは、上記訂正事項ａの請求項１の訂正に伴い、これとの整合を図るために発明の詳細な説明の【課題を解決するための手段】の記載を訂正するものであり、明りょうでない記載の釈明に該当し、新規事項に該当せず、実質上特許請求の範囲を拡張し又は変更するものではない。
　訂正事項ｃは、明らかな綴りの誤りを正すものであり、訂正事項ｄは、前段落の記載との重複を解消するためになされたものであるから、いずれも誤記の訂正を目的とするもので、新規事項に該当せず、実質上特許請求の範囲を拡張し又は変更するものではない。
　
２−３．訂正の適否に対するむすび
　以上のとおり、本件訂正は、特許法第１２０条の４第２項及び第３項で準用する同法第１２６条第２項及び第３項の規定に適合するので、当該訂正を認める。
　
３．取消理由の概要
　平成１５年２月１４日付けの取消理由の概要は、特許請求の範囲の請求項１の記載では、光散乱層の配置等が示されておらず、前記光散乱層の技術的な意味合い（従来周知の光拡散板等との違い）が不明であり、特許請求の範囲に特許を受けようとする発明が明確に記載されているとはいえないから、本件特許は、特許法第３６条第６項第２号の規定に違反してなされたものである、というにある。
　
４．特許異議申立の理由の概要
　特許異議申立人は、甲第１号証〜甲第３号証及び周知文献として、参考資料を提出し、本件の請求項１〜４に係る発明は、甲各号証に記載された発明に基づいて当業者が容易に発明をすることができたものであるから、特許法第２９条第２項の規定により、特許を受けることができない旨主張している。
　
５．本件発明
　本件の請求項１〜４に係る発明は、訂正明細書の特許請求の範囲の請求項１〜４に記載された事項により特定される次のとおりのものである。
「【請求項１】
　絵素毎に電圧の印加を行える透明電極が透明基板上に配設された観察者側電極板と、この観察者側電極板に対向して配置されかつ絵素毎に電圧の印加を行える電極が配設された光反射性背面電極板と、これ等両電極板間に封入された液晶物質と、上記観察者側電極板の外側表面に配置され外部から入射する外光を直線偏光に変える偏光フィルムとを備え、外光を上記背面電極板で反射させると共に両電極間に電圧を選択的に印加し液晶物質の配向状態を絵素毎に変化させて上記直線偏光の透過・不透過を制御し画面表示する反射型液晶表示装置において、
　上記観察者側電極板における透明基板の液晶側の絵素部に対応する部位にこの部位を透過する透過光を着色させるカラーフィルターと、該カラーフィルタの間の絵素間部に対応する部位にこの部位を透過する透過光を散乱させる光散乱層とを設けると共に、両電極間に電圧が印加されないときに光反射性背面電極板からの反射光の透過を防止するノーマリーブラック型表示方式で構成されていることを特徴とする反射型液晶表示装置。
【請求項２】
　上記光散乱層が、透明樹脂とこの透明樹脂中に分散されかつこの透明樹脂とその屈折率が異なる散乱材料を含有することを特徴とする請求項１記載の反射型液晶表示装置。
【請求項３】
　上記散乱材料が、光学的に等方性を有する材料により構成されていることを特徴とする請求項２記載の反射型液晶表示装置。
【請求項４】
　上記背面電極板の観察者側面に光反射性金属薄膜を備えることを特徴とする請求項１、２又は３記載の反射型液晶表示装置。」
　
６．当審の判断
６−１．特許法第３６条違反について
　特許権者は、上記の訂正請求により、「観察者側電極板における透明基板の絵素間部に対応する部位にこの部位を透過する透過光を散乱させる光散乱層を設ける」を「観察者側電極板における透明基板の液晶側の絵素部に対応する部位にこの部位を透過する透過光を着色させるカラーフィルターと、該カラーフィルタの間の絵素間部に対応する部位にこの部位を透過する透過光を散乱させる散乱層とを設ける」と訂正したので、光散乱層の配置が明りょうになった。
　そして、本件発明は、上記構成を備えることにより、明細書の【００６４】〜【００６５】に記載された「観察者側電極板における透明基板の絵素間部に入射された光線は光散乱層により散乱されその一部が絵素部に入射されて画面表示に利用されるため、その分、入射光線の有効利用が図れる。また、・・・電圧が印加されることのない上記絵素間部においては常に光透過のない状態に維持されるため、透明基板の絵素間部に対応する部位に遮光膜が存在しなくてもこの絵素間部からの光線が画面観察者の視野に入ることがない。・・・」という効果を奏するものであり、散乱層の技術的な意義も明らかになった。
　よって、本件特許の特許出願が特許法第３６条の規定に違反してなされたという取消理由は解消された。
　
６−２．特許法第２９条第２項違反について
（１）甲各号証記載の発明
　特許異議申立人の提出した甲第１号証刊行物：特開昭５７−５６８１８号公報には、下記の記載が認められる。　
「２つの平行平面板（１，２）より成るセル、板（１，２）の内面の、少くとも前側の電極層（３）が透明である電極層（３，４）、セル板（１，２）のラビングされた配向面によりホメオトロピック配向性を有し、電極層（３，４）間に生じる電場により歪み状態へ移行可能である、負の誘電異方性を有するネマチック液晶、内部リフレクタおよび、前側の板に配置された偏光子を有する表示装置において、内部リフレクタが後側の電極層（４）に施こされ、内部リフレクタが、埋封されたアルミニウム鱗片を有する絶縁性の酸化物層よりなり、かつ、配向性の反射面がラビング後にシラン処理されていることを特徴とする液晶表示装置。」（特許請求の範囲１）
「駆動方法は以下の通りである：
　光源１０から出る光が、偏光子１３により円偏光された後、板ガラス１および前側の透明な電極層３を通りセル中へ入射する。光入射方向と液晶６の光軸とがほぼ平行であることにより、複屈折が行われない。液晶６は、円偏光された光の旋回に対する作用を有せずかつ液晶６を支障なく通過させる。光は、内部リフレクタ１１で反射した後、観察者から見て入射光と反対方向に円偏光される・・・。従って光は、反対の旋回方向により偏光子１３を通過することができない。観察者９には、均質に暗い面が見える。電界作動状態・・・では、電場により、セル壁面と平行な方向への分子軸の段階的に増大する傾斜、それも詳しくは対向するセル壁面から出発し、セルの中央部で、セル板１，２の面の直角方向に対する傾斜角の最大値（一般に７０°〜８９°）にまでの傾斜が得られる。コントラストが最適である場合に、光軸の傾斜が円偏光を相殺する。観察者９には、明るい記号が暗い背景上に見える。」（３頁左下欄１１行〜同右下欄１２行）。
　
　同じく、甲第２号証：特開昭５９−３６２８２号公報には、
「第１図は反射型の液晶カラー表示装置の断面図である。図において１は反射板付偏光板、２は下ガラス板、３は液晶層、４はシール材、５は上ガラス板、６は偏光板、７は光拡散板、８は光拡散面である。ガラス板には透明電極とカラーフィルタが形成されている。・・・光拡散板の光拡散面の荒さのピッチを画素のピッチよりある程度細かくすることによって、各カラーフィルターを透過した光が交差しあい、極めて近い位置でパネルを見ても加色法によるフルカラー表示が得られる。」（１頁右下欄１１行〜２頁左上欄２行）と記載されている。　
　
　同じく、甲第３号証：特開平４−８１８１６号公報には、
「第１Ａ図に示すように、上部透明ガラス基板ＳＵＢ２と、ブラックマトリクスＢＭおよびカラーフィルタＦＩＬとの間には、それぞれ透明な光拡散層ＤＩＦと保護膜ＰＳＶ３が順次積層して設けられている。光拡散層ＤＩＦは、例えば方解石、シリカ、硫酸バリウム、または炭酸カルシウム等の細かい粒子を点在させ、ＵＶ硬化樹脂やポリウレタンで固めた層で形成されている。」（３頁右上欄１１〜１８行）と記載されている。
　
　また、参考資料として提出された、特開昭５４−６８２６２号公報には、間に液晶を挟持する一対の支持板のうちの一方の支持板上に光散乱面と電極を形成した反射型液晶表示装置において、他方の支持板と反射板の間に１／４波長板を設けることにより、全自然光を利用できることが、同じく、特開昭５８−１７３７１７号公報には、一対の電極基板のうち前面の電極基板の表面を光散乱面とした液晶表示装置が記載されている。
　
（２）対比・判断
（請求項１について）
　本件の請求項１に係る発明（以下、「本件発明１」という。）と上記甲各号証記載の発明とを対比する。
　上記甲各号証には、少なくとも、本件発明１の構成要件である「観察者側電極板における透明基板の液晶側の絵素部に対応する部位にこの部位を透過する透過光を着色させるカラーフィルターと、該カラーフィルタの間の絵素間部に対応する部位にこの部位を透過する透過光を散乱させる散乱層とを設ける」点については何も記載されておらず、示唆もされていない。
  そして、本件発明１は、上記構成要件を具備することにより明細書の【００６４】〜【００６６】に記載された「観察者側電極板における透明基板の絵素間部に入射された光線は光散乱層により散乱されその一部が絵素部に入射されて画面表示に利用されるため、その分、入射光線の有効利用が図れる。また、画面表示方式として両電極間に電圧が印加されないときに光反射性背面電極板からの反射光の透過を防止するノーマリーブラック型表示方式を採用しており、電圧が印加されることのない上記絵素間部においては常に光透過のない状態に維持されるため、透明基板の絵素間部に対応する部位に遮光膜が存在しなくてもこの絵素間部からの光線が画面観察者の視野に入ることがない。従って、明るくかつコントラストの高い画面表示を可能にする」という、甲各号証記載のものからは予測し得ない格別の作用効果を奏するものである。
　したがって、本件発明１は、参考資料を参酌しても、甲各号証に記載された発明に基づいて当業者が容易に発明をすることができたものであるとすることはできない。
　
（請求項２〜４について）
  請求項２〜４係る発明は、それぞれ、請求項１係る発明の構成を全て引用するものであるから、上記請求項１に対すると同様の理由により、甲各号証に記載された発明に基づいて当業者が容易に発明をすることができたものであるとすることはできない。　
　　
７．むすび
　以上のとおり、特許異議申立の理由及び証拠によっては、本件の請求項１〜４に係る発明の特許を取り消すことはできない。
　又、他に本件の請求項１〜４に係る発明の特許を取り消すべき理由を発見しない。 
　よって、結論のとおり決定する。
【異議決定日】
平成１５年３月１８日（２００３．３．１８）
【訂正の要旨】
ａ．特許請求の範囲の減縮を目的として、特許請求の範囲の請求項１「絵素毎に電圧の印加を行える透明電極が透明基板上に配設された観察者側電極板と、この観察者側電極板に対向して配置されかつ絵素毎に電圧の印加を行える電極が配設された光反射性背面電極板と、これ等両電極板間に封入された液晶物質と、上記観察者側電極板の外側表面に配置され外部から入射する外光を直線偏光に変える偏光フィルムとを備え、外光を上記背面電極板で反射させると共に両電極間に電圧を選択的に印加し液晶物質の配向状態を絵素毎に変化させて上記直線偏光の透過・不透過を制御し画面表示する反射型液晶表示装置において、
　上記観察者側電極板における透明基板の絵素間部に対応する部位にこの部位を透過する透過光を散乱させる光散乱層を設けると共に、両電極間に電圧が印加されないときに光反射性背面電極板からの反射光の透過を防止するノーマリーブラック型表示方式で構成されていることを特徴とする反射型液晶表示装置。」を、「絵素毎に電圧の印加を行える透明電極が透明基板上に配設された観察者側電極板と、この観察者側電極板に対向して配置されかつ絵素毎に電圧の印加を行える電極が配設された光反射性背面電極板と、これ等両電極板間に封入された液晶物質と、上記観察者側電極板の外側表面に配置され外部から入射する外光を直線偏光に変える偏光フィルムとを備え、外光を上記背面電極板で反射させると共に両電極間に電圧を選択的に印加し液晶物質の配向状態を絵素毎に変化させて上記直線偏光の透過・不透過を制御し画面表示する反射型液晶表示装置において、
　上記観察者側電極板における透明基板の
液晶側の絵素部に対応する部位にこの部位を透過する透過光を着色させるカラーフィルターと、該カラーフィルタの間の
と
ｂ．これに伴い、特許請求の範囲の記載と発明の詳細な説明の記載との整合をとるため、【００１１】の「【課題を解決するための手段】　すなわち、請求項１に係る発明は、絵素毎に電圧の印加を行える透明電極が透明基板上に配設された観察者側電極板と、この観察者側電極板に対向して配置されかつ絵素毎に電圧の印加を行える電極が配設された光反射性背面電極板と、これ等両電極板間に封入された液晶物質と、上記観察者側電極板の外側表面に配置され外部から入射する外光を直線偏光に変える偏光フィルムとを備え、外光を上記背面電極板で反射させると共に両電極間に電圧を選択的に印加し液晶物質の配向状態を絵素毎に変化させて上記直線偏光の透過・不透過を制御し画面表示する反射型液晶表示装置を前提とし、上記観察者側電極板における透明基板の絵素間部に対応する部位にこの部位を透過する透過光を散乱させる光散乱層を設けると共に、両電極間に電圧が印加されないときに光反射性背面電極板からの反射光の透過を防止するノーマリーブラック型表示方式で構成されていることを特徴とするものである。」を明りょうでない記載の釈明を目的として、「【課題を解決するための手段】　すなわち、請求項１に係る発明は、絵素毎に電圧の印加を行える透明電極が透明基板上に配設された観察者側電極板と、この観察者側電極板に対向して配置されかつ絵素毎に電圧の印加を行える電極が配設された光反射性背面電極板と、これ等両電極板間に封入された液晶物質と、上記観察者側電極板の外側表面に配置され外部から入射する外光を直線偏光に変える偏光フィルムとを備え、外光を上記背面電極板で反射させると共に両電極間に電圧を選択的に印加し液晶物質の配向状態を絵素毎に変化させて上記直線偏光の透過・不透過を制御し画面表示する反射型液晶表示装置を前提とし、上記観察者側電極板における透明基板の
液晶側の絵素部に対応する部位にこの部位を透過する透過光を着色させるカラーフィルターと、該カラーフィルタの間の
と
ｃ．誤記の訂正を目的として、【０００９】第４行の「Ｔｈｉｎ　Ｆｉｌｍ　Ｔｒａｎｓｉｓｔｅｒ」を「Ｔｈｉｎ　Ｆｉｌｍ　
Ｔｒａｎｓｉｓｔｏｒ
ｄ．誤記の訂正を目的として、【００３２】第１行〜第２行の「このようなカラーフィルター層としては、透明樹脂バインダーとこの透明樹脂バインダー中に混合された着色剤とから構成されるものが利用できる。」を削除する。
（５４）【発明の名称】
反射型液晶表示装置
（５７）【特許請求の範囲】
　【請求項１】
　絵素毎に電圧の印加を行える透明電極が透明基板上に配設された観察者側電極板と、この観察者側電極板に対向して配置されかつ絵素毎に電圧の印加を行える電極が配設された光反射性背面電極板と、これ等両電極板間に封入された液晶物質と、上記観察者側電極板の外側表面に配置され外部から入射する外光を直線偏光に変える偏光フィルムとを備え、外光を上記背面電極板で反射させると共に両電極間に電圧を選択的に印加し液晶物質の配向状態を絵素毎に変化させて上記直線偏光の透過・不透過を制御し画面表示する反射型液晶表示装置において、
　上記観察者側電極板における透明基板の
液晶側の絵素部に対応する部位にこの部位を透過する透過光を着色させるカラーフィルターと、該カラーフィルタの間の
と
　【請求項２】
　上記光散乱層が、透明樹脂とこの透明樹脂中に分散されかつこの透明樹脂とその屈折率が異なる散乱材料を含有することを特徴とする請求項１記載の反射型液晶表示装置。
　【請求項３】
　上記散乱材料が、光学的に等方性を有する材料により構成されていることを特徴とする請求項２記載の反射型液晶表示装置。
　【請求項４】
　上記背面電極板の観察者側面に光反射性金属薄膜を備えることを特徴とする請求項１、２又は３記載の反射型液晶表示装置。
　【請求項５】
　上記光反射性金属薄膜が液晶物質の配向状態を制御する電極であることを特徴とする請求項４記載の反射型液晶表示装置。
　【請求項６】
　上記背面電極板の観察者側とは反対側面に光反射材を備えることを特徴とする請求項１、２又は３記載の反射型液晶表示装置。
【発明の詳細な説明】
　【０００１】
　【産業上の利用分野】
　本発明は反射型液晶表示装置に係り、特に、液晶表示装置に入射された光線の有効利用が図れ、かつコントラストの高い画面表示が可能な反射型液晶表示装置の改良に関するものである。
　【０００２】
　【従来の技術】
　液晶表示装置は、絵素毎に電圧の印加を行える電極が配設された一対の基板とこれ等基板間に封入された液晶物質とでその主要部が構成され、上記電極間に電圧を印加することにより液晶物質の配向状態を絵素毎に変化させてこの液晶物質を透過する光の偏光面を制御すると共に、偏光フィルムによりその透過・不透過を制御して画面表示を行うもので、上記一対の基板のうち一方の基板として絵素毎にその透過光を各色に着色させるカラーフィルター層を有する基板を適用することによりフルカラー画面の表示が可能となる。
　【０００３】
　そして、この種の液晶表示装置としては、液晶表示装置の背面側に位置する電極板（以下背面電極板と称する）の裏面若しくは側面に光源（ランプ）を配置し、背面電極板側から光線を入射させるバックライト型あるいはライトガイド型のランプ内蔵式透過型液晶表示装置が広く普及している。
　【０００４】
　しかし、このランプ内蔵式透過型液晶表示装置においては、そのランプによる消費電力が大きくＣＲＴやプラズマディスプレイ等他の種類のディスプレイと略同等の電力を消費するため、液晶表示装置本来の低消費電力といった特徴を損ない、かつ、携帯先での長時間の利用が困難となるという欠点を有していた。
　【０００５】
　他方、このようなランプを内蔵することなく装置の観察者側に位置する電極板（観察者側電極板と称する）から室内光や自然光等の外光を入射させ、かつ、この入射光を光反射性背面電極板で反射させると共に、この反射光で画面表示する反射型液晶表示装置も知られている。そして、この反射型液晶表示装置ではランプを利用しないことから消費電力が小さく、携帯先での長時間駆動に耐えるという利点を有している。
　【０００６】
　このような反射型液晶表示装置としては、例えば、図４に示すように背面電極板ａの裏面に金属反射板ａ３を配置したものが知られている。尚、図４中、ｂは観察者側電極板、ｃは液晶物質、ｄは偏光フィルム、ｅは背面電極板ａと観察者側電極板ｂとを周辺部で一体化させるシール部材、ｂ２Ｒ、ｂ２Ｇ、ｂ２Ｂは絵素部に対応する部位に設けられ各部位を透過する光をそれぞれ赤、緑、青色に着色させるカラーフィルター層、ｂ３は絵素間部に対応する部位に設けられこの部位を透過する光を遮蔽する遮光膜を示している。
　【０００７】
　また、図５に示す反射型液晶表示装置は、背面電極板ａの電極ａ２を金属薄膜で構成し、この電極ａ２により入射光を反射させて画面表示するものである。
　【０００８】
　【発明が解決しようとする課題】
　ところで、画面表示のために一対の電極間に電圧を印加した場合、隣接する絵素と絵素との間の電圧印加状態は不安定になり易いため絵素間部に対応する上記液晶物質もその配向が乱れ易くなる。そして、これに起因して絵素間部を透過する透過光の透過率も安定しなくなるため表示画面のコントラストや色純度を劣化させる原因になり易かった。そこで、上述したように上記基板ｂの絵素間部に対応する部位に遮光膜ｂ３を設けこの部位の光透過を防止して表示画面のコントラストや色純度を向上させる方法が採られていた。
　【０００９】
　しかし、この遮光膜ｂ３が存在する分、入射光線の有効利用が図れなくなるため表示画面の明るさを低下させる問題があった。例えば画面表示領域中の上記遮光膜ｂ３が存在しない部位（光透過可能な部位）の面積Ｘ’と上記画面表示領域の全面積Ｘとの比を開口率（％）としたとき、ＴＦＴ（Ｔｈｉｎ　Ｆｉｌｍ　
Ｔｒａｎｓｉｓｔｏｒ
　【００１０】
　本発明はこのような問題点に着目してなされたもので、その課題とするところは、液晶表示装置に入射された光線の有効利用が図れかつコントラストの高い画面表示が可能な反射型液晶表示装置を提供することにある。
　【００１１】
　【課題を解決するための手段】
　すなわち、請求項１に係る発明は、
　絵素毎に電圧の印加を行える透明電極が透明基板上に配設された観察者側電極板と、この観察者側電極板に対向して配置されかつ絵素毎に電圧の印加を行える電極が配設された光反射性背面電極板と、これ等両電極板間に封入された液晶物質と、上記観察者側電極板の外側表面に配置され外部から入射する外光を直線偏光に変える偏光フィルムとを備え、外光を上記背面電極板で反射させると共に両電極間に電圧を選択的に印加し液晶物質の配向状態を絵素毎に変化させて上記直線偏光の透過・不透過を制御し画面表示する反射型液晶表示装置を前提とし、
　上記観察者側電極板における透明基板の
液晶側の絵素部に対応する部位にこの部位を透過する透過光を着色させるカラーフィルターと、該カラーフィルタの間の
と
　【００１２】
　この請求項１記載の発明に係る反射型液晶表示装置によれば、上記透明基板の絵素間部に入射された光線は光散乱層により散乱されるため入射光線の一部の出射方向が絵素部方向へ変化される。そして、絵素間部に入射された光線の一部が絵素部に入射されて画面表示に利用されるため、その分、入射光線の有効利用が図れ明るい表示画面を可能にする。
　【００１３】
　また、この反射型液晶表示装置においては、観察者側電極板における絵素間部に対応する部位に上記光散乱層が設けられていることからこの部位に従来における遮光膜が存在しないが、画面表示方式として両電極間に電圧が印加されないときに光反射性背面電極板からの反射光の透過を防止するノーマリーブラック型表示方式を採用しているため、電圧が印加されることのない上記絵素間部においては常に光透過のない状態に維持される。従って、絵素間部に対応する部位に従来における遮光膜が存在していなくてもこの絵素間部からの光線が画面観察者の視野に入ることがないためコントラストの高い画面表示を可能にする。
　【００１４】
　この請求項１に係る発明において上記光散乱層としては、透明樹脂とこの透明樹脂中に分散され透明樹脂とその屈折率が異なる散乱材料を含有する塗膜を利用することができる。
　【００１５】
　尚、請求項１記載の発明に係る反射型液晶表示装置が偏光板を使用しない［高分子分散型液晶を使用する液晶表示装置やゲストホスト液晶を使用する液晶表示装置等が例示される］場合には特に問題ないが、上記反射型液晶表示装置が偏光板を使用する［ＳＴＮ型液晶表示装置、ＴＦＴ（ＴＮ）液晶表示装置、ＯＣＢ型液晶表示装置あるいはＥＣＢ型液晶表示装置等が例示される］場合、上記散乱材料が光学的異方性を有すると、これ等異方性散乱材料に入射された光線が偏光分離しかつそれぞれの偏光がその屈折率に応じた速度で進行することになるため、偏光板からの出射光線に着色を生じることがある。このような着色現象を回避するため、上記散乱材料としては光学的に等方性を有する材料が望ましい。請求項２及び請求項３に係る発明はこのような技術的理由によりなされている。
　【００１６】
　すなわち、請求項２に係る発明は、
　請求項１記載の発明に係る反射型液晶表示装置を前提とし、
　上記光散乱層が、透明樹脂とこの透明樹脂中に分散されかつ透明樹脂とその屈折率が異なる散乱材料を含有することを特徴とし、
　また、請求項３に係る発明は、
　この請求項２記載の発明に係る反射型液晶表示装置を前提とし、
　上記散乱材料が、光学的に等方性を有する材料により構成されていることを特徴とするものである。
　【００１７】
　これ等請求項２〜３に係る発明において上記透明樹脂としては、例えば、アクリル樹脂、フッ素系アクリル樹脂、アクリルエポキシ樹脂、エポキシ樹脂、ポリエステル樹脂、ポアミド樹脂、ウレタン樹脂、ポリイミド樹脂、あるいはこれ等の共重合樹脂等が利用できる。また、エポキシ樹脂にメラミン樹脂を添加したものを利用することも可能である。また、これ等の樹脂は熱硬化型樹脂、紫外線硬化型樹脂、電子線硬化型樹脂あるいはこれ等硬化方式を併用する樹脂であってよい。
　【００１８】
　また、光学的に等方性を有する上記散乱材料としては無機物から成る微粒子や有機ポリマーから成る微粒子等が例示できる。無機物から成る微粒子としては、等軸晶と呼ばれる立方晶構造を有する微粒子、この等軸晶に似て複屈折の小さい正方晶構造を有する微粒子、あるいは非晶質の微粒子が適用でき、等軸晶を有する無機微粒子として、例えば、ＣａＦ２、ＭｇＦ２、ＳｒＦ２、ＬｉＦ、ＮａＦ等のフッ素化合物、ＭｇＯ、ＣｅＯ等の酸化物が利用できる。また、非晶質の微粒子として、例えば、ＳｉＯ２やガラス粉末が利用できる。また、有機物から成る微粒子としては、アモルファスシリコンの他、ポリテトラフルオロエチレン、ペルフルオロアルコキシ樹脂、テトラフルオロエチレン−ヘキサフルオロプロピレン共重合体、ポリフルオロビニリデン、エチレン−テトラフルオロエチレン共重合体、ポリフルオロビニル等の含フッ素ポリマーを利用でき、またその他のポリマーにフッ素原子やフッ化アルキル基を導入させたものであってもよい。また、これ等フッ素化合物や含フッ素ポリマーの表面に適当な表面処理を施したものを上記微粒子として適用することも可能である。このような表面処理としては、例えば、ＳｉＯ２、ＺｒＯ２、Ａｌ２Ｏ３、ＺｎＯ、透明樹脂、カップリング剤又は界面活性剤等を塗布し被覆する処理が挙げられる。また、この他、アルコールあるいはアミン、有機酸等で表面反応を生じさせたりする処理も例示できる。
　【００１９】
　尚、この他、光学的に等方性を有する散乱材料としては相溶性と屈折率が異なる２種以上のポリマーを利用することができる。例えば、光硬化性エポキシ樹脂中に光硬化性フッ素系アクリルポリマーを分散させかつ光照射することにより上記エポキシ樹脂中にフッ素系アクリルポリマーがエポキシ樹脂から相分離した状態で分散された光散乱層を形成することができる。
　【００２０】
　また、上記光散乱層のパターンとしては、マトリクス状（格子状）あるいはストライプ状が例示できる。また、これ等パターンの形成方法としては、例えば、印刷法や電着法が利用できる。あるいは、フォトリソグラフィ法に従い、感光性樹脂を上記透明樹脂として使用し、スピンコート法やカーテンコート法等を利用して基板上にコートした後、パターン状に露光・現像して上記光散乱層を形成することも可能である。
　【００２１】
　また、上記光散乱層は、透明樹脂と散乱材料の他、塗膜形成の簡便化を図るため散乱材料の分散助材や界面活性剤等の添加剤を含むものであってもよい。また、表示画面のコントラストやホワイトバランスの向上のため、黒色又は有彩色の着色剤（例えば、染料）を若干量含むものであってもよい。
　【００２２】
　次に、画面表示の方式として上記ノーマリーブラック型表示方式を採用した反射型液晶表示装置としては、例えば絵素毎に電圧の印加が行える透明電極が設けられた観察者側電極板と、この観察者側電極板に対向して配置されかつ絵素毎に電圧の印加が行える電極が設けられた光反射性背面電極板と、これ等両電極板間に封入されると共にその液晶分子の観察者側電極板表面における光学軸（ネマティック液晶分子の配列方向により決せられる）と背面電極板表面における光学軸が互いに９０度の角度をなしかつ一方の電極板表面から他方の電極板表面までの間で上記光学軸が連続的に捩じれているネマティック液晶と、上記観察者側電極板の外側表面に配置され外部から入射される外来光を直線偏光に変える偏光フィルムとでその主要部を構成するものが挙げられる。
　【００２３】
　そして、このノーマリーブラック型表示方式を採用した反射型液晶表示装置は、以下のようにして画面表示がなされる。
　【００２４】
　すなわち、外部から入射された外来光はまず上記偏光フィルムにより直線偏光に変えられてネマティック液晶に入射する。そして電圧が印加されていない絵素部においては、上記ネマティック液晶の光学的異方性に基づき上記直線偏光は円偏光又は楕円偏光に変換されてネマティック液晶を透過し光反射性背面電極板で反射される。尚、この反射光は、光反射性背面電極板に入射された上記円偏光又は楕円偏光の偏光面の回転方向と逆の回転方向を有している。次に、上記反射光は再びネマティック液晶を透過して直線偏光（但し、この直線偏光の偏光面は偏光フィルムを透過してネマティック液晶に入射された上記直線偏光の偏光面に対し直交している）に変換されこの直線偏光は上記偏光フィルムに吸収される。他方、電圧が印加されている絵素部においては、この電圧の印加により上記ネマティック液晶の光学軸が観察者側電極板の法線方向を向いているため、偏光フィルムを透過してネマティック液晶に入射された直線偏光はその偏光面を維持したままネマティック液晶を透過しかつ光反射性金属電極で反射された後再びネマティック液晶を透過し偏光フィルムを透過して観察者方向へ出射される。尚、絵素間部に入射された光線は偏光フィルムで直線偏光に変換された後、絵素間部に対応する部位に設けられた上記光散乱層で散乱される。こうして散乱された光線の内電圧の印加されている絵素部方向に進行方向が変化された光線はこの絵素部に入射した光線と同様に偏光フィルムを透過して観察者方向へ出射される。その他の光線は偏光フィルム等に吸収されるため画面観察者の視野に入ることがない。
　【００２５】
　ここで、上記光反射性背面電極板としては、例えば、基板の観察者側電極板側の面に光反射性金属薄膜を有するものが適用でき、この光反射性金属薄膜を絵素形状に加工して液晶物質を駆動させる電極として利用することができる。請求項４〜５に係る発明はこのような技術的理由に基づいてなされている。
　【００２６】
　すなわち、請求項４に係る発明は、
　請求項１、２又は３記載の発明に係る反射型液晶表示装置を前提とし、
　上記背面電極板の観察者側電極板側の面に光反射性金属薄膜を備えることを特徴とし、
　また、請求項５に係る発明は、
　請求項４記載の発明に係る反射型液晶表示装置を前提とし、
　上記光反射性金属薄膜が液晶物質の配向状態を制御する電極であることを特徴とするものである。
　【００２７】
　このような光反射性金属薄膜としては、例えば、アルミニウム、アルミニウム合金、銀、銀合金、マグネシウム合金等が利用できる。また、上記光反射性背面電極板として、例えば、基板の観察者側電極板とは反対側の面に光反射材を有するものを適用することもできる。請求項６に係る発明はこのような技術的理由に基づいてなされている。
　【００２８】
　すなわち、請求項６に係る発明は、
　請求項１、２又は３記載の発明に係る反射型液晶表示装置を前提とし、
　上記背面電極板の観察者側電極板とは反対側面に光反射材を備えることを特徴とするものである。
　【００２９】
　このような光反射材としては、例えば、アルミニウム箔が適用できる。
　【００３０】
　次に、観察者側電極板における透明基板の絵素部に対応する部位にこの部位を透過する光を絵素毎に各色に着色させるカラーフィルター層を設けることにより、マルチカラー画面の表示が可能となる。このカラーフィルター層の色彩としては、赤色、緑色、青色の光の三原色が望ましいが、この他、互いに補色の関係にある３色でもよく、また上記光の三原色に白色を加えた４色であってもよい。加えて、赤色−シアンの組合せ、緑色−マゼンタの組合せ、青色−イエローといった２色の組合せでもよい。
　【００３１】
　このようなカラーフィルター層としては、透明樹脂バインダーとこの透明樹脂バインダー中に混合された着色剤とから構成されるものが利用できる。
　【００３２】
　上
　【００３３】
　また、上記着色剤としては染料若しくは顔料が適用でき、顔料を適用する場合には透明性の高い微粒子状の有機顔料が好ましい。このような顔料としては、例えば、光の三原色の下記赤色顔料、緑色顔料、青色顔料が使用できる。
　【００３４】
　尚、いずれもＣ．Ｉ．ナンバー（Ｃｏｌｏｒ　Ｉｎｄｅｘ　Ｎｏ．）でもって例示する。
　【００３５】
　『赤色顔料』
　Ｃ．Ｉ．Ｎｏ．９７、１２２、１４９、１６８、１７７、１８０、１９２、２１５
『緑色顔料』
　Ｃ．Ｉ．Ｎｏ．７、３６
『青色顔料』
　Ｃ．Ｉ．Ｎｏ．１５、１５と１の混合物、１５と４の混合物、１５と６の混合物、
　２２、６０、６４
　また、これ等顔料は有機樹脂による被覆処理が施されたものや表面処理剤による表面処理が施されたものであってもよい。表面処理剤としては、例えば、カップリング剤、アルコール、アミン、有機酸等が利用できる。
　【００３６】
　また、上記カラーフィルター層は、透明樹脂バインダーと着色剤の他、この着色剤を微粒子状で均一に透明樹脂バインダー中に分散させる分散助剤や界面活性剤を含有するものであってもよい。そして、上記カラーフィルター層を形成する方法としては、例えば、グラビアオフセット印刷法等の印刷法が適用できる。また、フォトリソグラフィ法を利用することも可能である。すなわち、透明樹脂バインダーとして感光性樹脂を使用し、これに着色剤を混合して着色感光性樹脂組成物を調製し、この着色感光性樹脂組成物を透明基板上に塗布した後露光・現像して透明基板上の各絵素部に対応する部位に着色感光性樹脂組成物層を選択的に形成する方法である。あるいは、透明樹脂バインダーに着色剤を混合して電着する方法によって形成することも可能である。
　【００３７】
　尚、このカラーフィルター層が、各絵素部の中央から絵素間部まで延設されたマイクロレンズ形状を有する場合、絵素部に入射された光線は勿論、絵素間部に入射された光線をも各絵素部方向へ屈折させることができるため、液晶表示の画面表示に利用することが可能になる。
　【００３８】
　このマイクロレンズとしては、その表面が球面の一部を構成する形状が望ましい。この場合、上記マイクロレンズ形状のカラーフィルター層が球面レンズの機能を有し、各絵素部に向けて入射された入射光線と絵素間部に向けて入射された入射光線の全体を各絵素部の中央方向へ屈折させることが可能となる。また、その開口率を増大させてより明るい画面表示を可能にさせかつマイクロレンズ形状のカラーフィルター層の収率や生産性を増大させるため、その表面が円柱側面の一部を構成する形状（かまぼこ形状）にすることも可能である。この場合、マイクロレンズ形状のカラーフィルター層は円柱レンズの機能を有し、各絵素部に向けて入射された入射光線と絵素間部に向けて入射された入射光線の全体を上記円柱形状レンズの軸方向へ屈折させることが可能となる。尚、上記マイクロレンズ形状のカラーフィルター層を形成する方法としては、例えば、印刷法やフォトリソグラフィー法により透明基板上の各絵素部に対応した部位にカラーフィルター層を形成した後、このカラーフィルター層を溶融させてその表面張力によりマイクロレンズ形状に変形させる方法が利用できる。
　【００３９】
　次に、本発明に係る観察者側電極板の透明基板としては、例えば、ガラス板、プラスチックフィルム、プラスチックボード等が利用できる。一方、上記光反射性背面電極板の基板としては、絵素間部からの光反射を防止するため光吸収性の高い着色されたものが望ましく、例えば、黒色の基板が挙げられる。
　【００４０】
　【作用】
　請求項１〜６記載の発明に係る反射型液晶表示装置によれば、
　観察者側電極板における透明基板の絵素間部に入射された光線は光散乱層により散乱されるため入射光線の一部の出射方向が絵素部方向へ変化される。そして、絵素間部に入射された光線の一部が絵素部に入射されて画面表示に利用されるため、その分、入射光線の有効利用が図れ明るい表示画面を可能にする。
　【００４１】
　また、この反射型液晶表示装置においては、画面表示方式として両電極間に電圧が印加されないときに光反射性背面電極板からの反射光の透過を防止するノーマリーブラック型表示方式を採用しているため、電圧が印加されることのない上記絵素間部においては常に光透過のない状態に維持される。従って、絵素間部に対応する部位に従来における遮光膜が存在していなくてもこの絵素間部からの光線が画面観察者の視野に入ることがないためコントラストの高い画面表示を可能にする。
　【００４２】
　【実施例】
　以下、図面を参照して本発明の実施例について詳細に説明する。
　【００４３】
　［実施例１］
　この実施例に係る反射型液晶表示装置は、図１に示すように観察者側電極板１と、この観察者側電極板１に対向して配置された光反射性背面電極板２と、これ等両電極板１、２間に封入されたネマティック液晶３と、上記観察者側電極板１の外側表面に配置され外部から入射される外来光を直線偏光に変える偏光フィルム４とでその主要部が構成されている。
　【００４４】
　そして、上記観察者側電極板１は、厚さ０．７ｍｍのガラス基板１１と、このガラス基板１１のネマティック液晶３側の絵素部に対応する部位に設けられこの部位を透過する透過光を赤色、緑色及び青色のそれぞれ三色に着色させる膜厚２．５μｍのカラーフィルター層１２Ｒ、１２Ｇ、１２Ｂと、絵素間部に対応する部位に設けられ入射光を散乱させる光散乱層（膜厚はカラーフィルター層１２Ｒ、１２Ｇ、１２Ｂと略同一）１３と、これ等カラーフィルター層１２Ｒ、１２Ｇ、１２Ｂ及び光散乱層１３を被覆してその表面を平坦にする膜厚約１μｍのオーバーコート層１４と、このオーバーコート層１４上の絵素部に対応する部位に設けられたストライプパターンの透明電極（膜厚；０．２４μｍ）１５と、この透明電極１５を一様に被覆した配向膜１６とを備えている。
　【００４５】
　他方、上記光反射性背面電極板２は、黒色の基板２１と、この基板２１のネマティック液晶３側の絵素部に対応した部位にストライプパターン状に設けられかつアルミニウムを２重量％含有する銀合金から成る膜厚０．１μｍの光反射性金属電極２２と、この光反射性金属電極２２を一様に被覆するように設けられた配向膜２３とを備えている。
　【００４６】
　尚、液晶の表示部位においてこれ等透明電極１５及び／又は光反射性金属電極２２上には、上記配向膜１６、２３を積層する前に０．０２〜０．２μｍ前後の膜厚で酸化ジルコニウム、酸化ハフニウム、酸化チタン、酸化珪素、酸化タンタル、酸化マグネシウム、酸化アルミニウム、酸化セリウム、あるいはこれ等が混合された無機酸化物を形成してもよい。透明電極１５及び光反射性金属電極２２上の無機酸化物の膜は、液晶セル化において液晶セル内に導電性の異物が混入した場合に、透明電極１５と光反射性金属電極２２との電気的短絡を防ぎ、パネル収率にプラスの効果がある。
　【００４７】
　また、上記ストライプパターン状の透明電極１５と同じくストライプパターン状の光反射性金属電極２２とは互いに９０度の角度をなす方向に配置されており、その交差位置が絵素部に対応している。更に、ネマティック液晶３についてはその液晶分子の配向膜１６面における光学軸と配向膜２３面における光学軸が互いに９０度の角度をなしかつ一方の配向膜面から他方の配向膜面までの間で上記光学軸が連続的に捩じれるように配置されている。また、偏光フィルム４はこの偏光フィルム４を透過する直線偏光の偏光面が上記配向膜１６表面におけるネマティック液晶３の光学軸に対し４５度の角度をなすように配置されている。
　【００４８】
　また、上記カラーフィルター層１２Ｒ、１２Ｇ、１２Ｂは、有機顔料が分散された屈折率１．５のアクリル系感光性樹脂により構成されており、また、光散乱層１３は平均粒径０．２μｍ、屈折率１．４３のフッ化カルシウム微粒子が分散されたアクリル系感光性樹脂（屈折率１．５）により構成されている。
　【００４９】
　そして、この反射型液晶表示装置は以下のような方法で製造されている。
　【００５０】
　まず、ガラス基板１１上に赤色有機顔料が分散されたアクリル系感光性樹脂を塗布し、周知のフォトリソグラフィ法に従い露光、現像処理によりパターニングしてガラス基板１１上の赤色絵素部に対応する部位に赤色カラーフィルター層１２Ｒを形成した。続いて、同様の方法により緑色カラーフィルター層１２Ｇ及び青色カラーフィルター層１２Ｂを順次形成した。
　【００５１】
　次に、フッ化カルシウム微粒子が分散されたアクリル系感光性樹脂を塗布し、周知のフォトリソグラフィ法に従い露光、現像処理によりパターニングして上記ガラス基板１１上の絵素間部に対応する部位に光散乱層１３を形成した。そして、これ等カラーフィルター層１２Ｒ、１２Ｇ、１２Ｂと光散乱層１３とをオーバーコート層１４で被覆した後、このオーバーコート層１４上にＩＴＯをスパッタリング法により成膜しフォトリソグラフィ法に従いパターニング処理して透明電極１５を形成し、更に配向膜１６を形成して観察者側電極板１を製造した。
　【００５２】
　一方、銀のターゲットとアルミニウムのターゲットを使用し共スパッタリング方式により黒色の基板２１上に銀合金の薄膜を成膜した後、フォトリソグラフィ法に従いパターニング処理して光反射性金属電極２２を形成し、更に配向膜２３を形成して光反射性背面電極板２を製造した。
　【００５３】
　最後に、これ等観察者側電極板１と光反射性背面電極板２とをその周囲で固定して一体化させた後、これ等両電極板１、２間にネマティック液晶３を封入しかつ観察者側電極板１表面に偏光フィルム４を接着させて上記反射型液晶表示装置を得た。
　【００５４】
　そして、この液晶表示装置はノーマリーブラック型表示方式を採用しており、以下のようにして画面表示がなされる。
　【００５５】
　すなわち、図２に示すように外部から入射された外来光ｘ１はまず上記偏光フィルム４で直線偏光ｘ２に変換され、観察者側電極板１を透過してネマティック液晶３に入射される。
　【００５６】
　そして電圧が印加されていない絵素部においては、上記ネマティック液晶３の光学軸が直線偏光ｘ２の偏光面と４５度の角度をなしているため、その光学的異方性に基づき直線偏光ｘ２は円偏光又は楕円偏光ｘ３に変換されてネマティック液晶３を透過し光反射性金属電極２２で反射される。尚、この光反射性金属電極２２で反射された光線ｘ４は、上記円偏光又は楕円偏光ｘ３の偏光面の回転方向と逆の回転方向を有している。次に、上記反射光ｘ４は再びネマティック液晶３を通過して直線偏光ｘ５（但し、この直線偏光ｘ５の偏光面は上記直線偏光ｘ２の偏光面に対し直交している）に変換されこの直線偏光ｘ５は上記偏光フィルム４に吸収される。
　【００５７】
　他方、電圧が印加されている絵素部においては、この電圧の印加により上記ネマティック液晶３の光学軸が観察者側電極板１の法線方向を向いているため、直線偏光ｘ２はその偏光面を維持したままネマティック液晶３を透過しかつ光反射性金属電極２２で反射された後再びネマティック液晶３を透過し、偏光フィルム４を透過して観察者方向へ出射される。
　【００５８】
　尚、絵素間部に入射された光線は偏光フィルム４で直線偏光ｘ２に変換された後、絵素間部に対応する部位に設けられた上記光散乱層１３で散乱される。こうして散乱された光線のうち電圧の印加されている絵素部方向に進行方向が変化された光線はこの絵素部に入射した光線と同様に偏光フィルム４を透過して観察者方向に出射される。その他の光線は黒色の基板２１又は偏光フィルム４に吸収されるため画面観察者の視野に入ることがない。
　【００５９】
　［実施例２］
　この実施例に係る反射型液晶表示装置は、図３に示すように観察者側電極板１と、この観察者側電極板１に対向して配置された光反射性背面電極板２と、これ等両電極板１、２間に封入されたネマティック液晶３と、上記観察者側電極板１の外側表面に配置された位相差フィルム５及び偏光フィルム４とでその主要部が構成されている。
　【００６０】
　そして、上記観察者側電極板１は、厚さ１．０ｍｍのガラス基板１１と、このガラス基板１１のネマティック液晶３側の絵素部に対応する部位に設けられこの部位を透過する透過光を、赤色、緑色及び青色のそれぞれ三色に着色させる膜厚２．５μｍのカラーフィルター層１２Ｒ、１２Ｇ、１２Ｂと、絵素間部に対応する部位に設けられ入射光を散乱させる光散乱層（膜厚はカラーフィルター層１２Ｒ、１２Ｇ、１２Ｂと略同一）１３と、これ等カラーフィルター層１２Ｒ、１２Ｇ、１２Ｂ及び光散乱層１３を被覆してその表面を平坦にする膜厚約０．５μｍのオーバーコート層１４と、このオーバーコート層１４上の絵素部に対応する部位に設けられたストライプパターンの透明電極１５と、この透明電極１５を一様に被覆した配向膜１６とを備えている。
　【００６１】
　他方、上記光反射性背面電極板２は、透明基板２１と、この透明基板２１のネマティツク液晶３側の絵素部に対応する部位にストライプパターン状に設けられた透明電極２４と、この透明電極２４を一様に被覆するように設けられた配向膜２３と、透明基板２１のネマティツク液晶３側とは反対面に設けられた偏光フィルム２５並びに粗面化された反射面を有するアルミニウム箔から成る光反射層２６とを備えている。
　【００６２】
　尚、上記偏光フィルム４と偏光フィルム２５とは、偏光フィルム４を透過する直線偏光の偏光面と偏光フィルム２５を透過する直線偏光の偏光面とが互いに平行に配置されている。
　【００６３】
　また、カラーフィルター層１２Ｒ、１２Ｇ、１２Ｂ、光散乱層１３、オーバーコート層１４及び透明電極１５は、それぞれ実施例１の場合と同様の方法により形成されており、また、上記透明電極２４は透明電極１５と同様の方法により形成されたものである。
　【００６４】
　【発明の効果】
　請求項１〜６に係る発明によれば、
　観察者側電極板における透明基板の絵素間部に入射された光線は光散乱層により散乱されその一部が絵素部に入射されて画面表示に利用されるため、その分、入射光線の有効利用が図れる。
　【００６５】
　また、画面表示方式として両電極間に電圧が印加されないときに光反射性背面電極板からの反射光の透過を防止するノーマリーブラック型表示方式を採用しており、電圧が印加されることのない上記絵素間部においては常に光透過のない状態に維持されるため、絵素間部に対応する部位に遮光膜が存在しなくてもこの絵素間部からの光線が画面観察者の視野に入ることがない。
　【００６６】
　従って、明るくかつコントラストの高い画面表示を可能にする効果を有している。
【図面の簡単な説明】
　【図１】
　実施例１に係る反射型液晶表示装置の断面図。
　【図２】
　実施例１に係る液晶表示装置の表示方式を示す説明図。
　【図３】
　実施例２に係る反射型液晶表示装置の断面図。
　【図４】
　従来例に係る反射型液晶表示装置の断面図。
　【図５】
　従来例に係る反射型液晶表示装置の断面図。
　【符号の説明】
　　１　　観察者側電極板
　１１　　ガラス基板
　１２Ｒ　カラーフィルター層
　１２Ｇ　カラーフィルター層
　１２Ｂ　カラーフィルター層
　１３　　光散乱層
　１５　　透明電極
　　２　　背面電極板
　２１　　基板
　２２　　光反射性金属電極
　　３　　ネマティック液晶
　　４　　偏光フィルム